(57)【要約】【課題】  本発明は、ベース１１上にアンテナ１２が形成されるとともに回路チップが搭載され、非接触で外部機器と情報のやり取りを行なうＲＦＩＤタグに関し、回路チップへの曲げ応力が低減され、かつ、アンテナ１２の断線も回避されたＲＦＩＤタグを提案する。【解決手段】  ベース１１が所定の長手方向に延びる形状を有し、そのベース１１上に形成されたアンテナ１２の、ポッティング材１５から露出する部分が、ベース１１が延びる長手方向に交わる幅方向に延びた形状を有する。【選択図】        図７
2008210032.tif 000002
【特許請求の範囲】
【請求項１】
所定の長手方向に延在する帯状のベースと、
前記ベース上に配線された通信用のアンテナと、
前記アンテナに電気的に接続された、該アンテナを介して無線通信を行なう回路チップと、
前記回路チップ上部を覆い前記ベースと協同して該回路チップを封止する封止体とを備え、
前記アンテナの、前記封止体から露出する部分が、前記長手方向に交わる幅方向に延びた形状を有することを特徴とするＲＦＩＤタグ。
【請求項２】
前記回路チップ上部を覆う補強部材を備え、
前記封止体が、前記ベースと協同して前記回路チップを封止するとともに前記補強部材を固定した接着剤であることを特徴とする請求項１記載のＲＦＩＤタグ。
【発明の詳細な説明】
【技術分野】
【０００１】
本発明は、非接触で外部機器と情報のやり取りを行なうＲＦＩＤ（Ｒａｄｉｏ  Ｆｒｅｑｕｅｎｃｙ  ＩＤｅｎｔｉｆｉｃａｔｉｏｎ）タグに関する。尚、本技術分野における当業者間では、本明細書で使用する「ＲＦＩＤタグ」のことを、「ＲＦＩＤタグ」用の内部構成部材（インレイ；ｉｎｌａｙ）であるとして「ＲＦＩＤタグ用インレイ」と称する場合もある。あるいは、この「ＲＦＩＤタグ」のことを「無線タグ」と称する場合もある。
【背景技術】
【０００２】
近年、リーダライタに代表される外部機器との間で、電波によって非接触で情報のやり取りを行なう種々のタイプのＲＦＩＤタグが提案されている（例えば、特許文献１，２，３参照）。このＲＦＩＤタグの一種として、プラスチックや紙などからなるベースシート上に電波通信用のアンテナパターンと回路チップが搭載された構成のものが提案されている。このようなタイプのＲＦＩＤタグについては、物品などに取り付けられ、その物品に関する情報を外部機器とやり取りすることで物品の識別などを行なうという利用形態が考えられている。
【０００３】
図１は、このようなタイプのＲＦＩＤタグの一例を示す模式断面図である。
【０００４】
ここに示すＲＦＩＤタグ１０Ａは、折り曲げ可能な、例えばＰＥＴフィルム等からなるベース１１上に、導体パターンからなるアンテナ１２が形成されており、その上に回路チップ１３が搭載されている。この回路チップ１３には、アンテナ１２を介して外部機器との間で情報を伝達するための回路が組み込まれている。この回路チップ１３は、その下面に形成されている接続端子１３ａがはんだ付け等によりアンテナ１２と電気的に接続され、さらにその周りが接着剤１４でベース１１上に固定されている。
【０００５】
ここで、この図１に示すＲＦＩＤタグ１０Ａの場合、折り曲げ可能なベース１１上に硬い回路チップ１３が搭載されているため、図１に矢印で示すような方向に曲げ応力がかかると、回路チップ１３の割れやベース１１からの剥れ等が発生し、動作不良となるおそれがある。
【０００６】
図２は、回路チップの割れや剥れの防止が図られたＲＦＩＤタグの一例を示す図である。
【０００７】
この図２に示すＲＦＩＤタグ１０Ｂの場合、図１に示すＲＦＩＤタグ１０Ａと同様の、可撓性のあるベース１１上にアンテナ１２が形成されさらに回路チップ１３が搭載されて接着剤１４で固定された構造を有し、さらに、その回路チップ１３の全体がポッティング剤１５で覆われ、そのポッティング剤１５とベース１１とが協同して回路チップ１３が封止されている。
【０００８】
この場合、回路チップ１３はポッティング材１５で覆われて保護されているため回路チップ１３自体の割れや剥れは防止されるが、ベース１１に曲げ応力がかかると、アンテナ１２の、ポッティング材１５から露出する部分（図２に破線の円で示す部分）に応力が集中してアンテナ１２が断線するおそれがある。
【０００９】
ここで、特許文献４，５には、フレキシブル基板に関し、剥離や断線を防止する技術が提案されており、特許文献６には基板の反りを減少させる技術が提案されているが、いずれの提案も上記の問題を有効に解決するものではない。
【００１０】
図３は回路チップの割れや剥れの防止が図られたＲＦＩＤタグの他の例を示す図である。
【００１１】
この図３に示すＲＦＩＤタグ１０Ｃの場合、図２に示すＲＦＩＤタグ１０Ｂの構成に加え、さらにポッティング材１５の上にさらに補強部材１６が配置されてそのポッティング材１５により固定されている。さらに、この図３に示すＲＦＩＤタグ１０Ｃの場合、裏面側にも、ポッティング材１７で固定された補強部材１８が配置されている。
【００１２】
この図３に示すＲＦＩＤタグ１０Ｃの場合、回路チップ１３自体の割れや剥れは、図２に示すＲＦＩＤタグ１０Ｂと比べても一層強固に防止されるものの、図に破線の円で示す、ポッティング材１５からアンテナ１２が露出する部分への一層の応力集中が生じやすく、アンテナが断線するおそれがある。
【００１３】
ここで、特許文献４，５には、フレキシブル基板に関し、剥離や断線を防止する技術が提案されており、特許文献６には基板の反りを減少させる技術が提案されているが、いずれの提案も上記の問題を有効に解決するものではない。
【特許文献１】特開２０００−３１１２２６号公報
【特許文献２】特開２０００−２００３３２号公報
【特許文献３】特開２００１−３５１０８２号公報
【特許文献４】特開２０００−８２８６８号公報
【特許文献５】特開２００６−１９６８７８号公報
【特許文献６】特開２０００−２８６３０９号公報
【発明の開示】
【発明が解決しようとする課題】
【００１４】
本発明は、上記事情に鑑み、回路チップへの曲げ応力が低減され、かつ、アンテナの断線も回避されたＲＦＩＤタグを提供することを目的とする。
【課題を解決するための手段】
【００１５】
上記目的を達成する本発明のＲＦＩＤタグは、所定の長手方向に延在する帯状のベースと、ベース上に配線された通信用のアンテナと、アンテナに電気的に接続された、そのアンテナを介して無線通信を行なう回路チップと、回路チップ上部を覆いベースと協同して回路チップを封止する封止体とを備え、上記アンテナの、封止体から露出する部分が、上記長手方向に交わる幅方向に延びた形状を有することを特徴とする。
【００１６】
本発明のＲＦＩＤタグは、回路チップが封止体に覆われているためベース１０が折り曲げられても回路チップに応力はかからずに済み、回路チップの割れや剥れが防止される。また、ＲＦＩＤタグは、長手方向に折り曲げられて応力がかかることになるが、本発明のＲＦＩＤタグは、アンテナの、封止体から露出する部分が、幅方向に延びた形状を有するため、ベースが折り曲げられても、アンテナの、封止体から露出した部分には応力はかからずに済み、アンテナの断線も回避される。
【００１７】
ここで、本発明のＲＦＩＤタグにおいて、上記回路チップ上部を覆う補強部材を備え、上記封止体が、ベースと協同して回路チップを封止するとともに補強部材を固定した接着剤であることが好ましい。
【００１８】
上記の補強部材を備えると、回路チップへの応力集中が一層有効に防止される。また、この補強部材の存在によっても、アンテナへの応力集中を生じることはない。
【発明の効果】
【００１９】
以上のとおり、本発明によれば、回路チップへの曲げ応力の集中を避けながら、アンテナへの応力集中も回避される。
【発明を実施するための最良の形態】
【００２０】
以下、本発明の実施形態について説明する。
【００２１】
ここでは、先ず、本発明の実施形態と対比される比較例について説明する。
【００２２】
図４，図５は比較例としてのＲＦＩＤタグの一例を示す、それぞれ断面図および平面図である。
【００２３】
この図４，図５に示すＲＦＩＤタグ１０Ｄは、図３に示すＲＦＩＤタグ１０Ｃと比べ、裏面側のポッティング材１７と補強部材１８が設けられておらず、この点を除き、図３に示すＲＦＩＤタグ１０Ｃと同様である。
【００２４】
すなわち、可焼性のベース１１上にアンテナ１２が形成されるとともに回路チップ１３が搭載され、その回路チップ１３が接着剤１４で固定され、さらにその固定チップ１３を覆うように補強部材１６が固定されてポッティング材１５で固定されている。
【００２５】
アンテナ１２は、図５に示すように、ベース１１上の長手方向に直線状に延びている。
【００２６】
この構成の場合、ベース１１が折り曲げられると、アンテナ１２の、ポッティング材１５から露出した部分（図４，図５に破線の円で示す部分）に応力が集中し、その部分のアンテナ１２がベース１１から剥がれたり断線したりするおそれがある。
【００２７】
図６，図７は、本発明の一実施形態としてのＲＦＩＤタグを示す、それぞれ断面図および平面図である。
【００２８】
図６，図７に示すＲＦＩＤタグ１０Ｅは、図４，図５に示す比較例と対比し、アンテナ１２の形状が異なっている。その他の点は図４，図５に示すＲＦＩＤタグ１０Ｄと同一である。
【００２９】
この図６，図７に示すＲＦＩＤタグ１０Ｅは、図４，図５に示す比較例と同様、そのベース１１は所定の長手方向（図の左右方向）に延在しており、アンテナ１２も、全体としてはベース１１が延在する長手方向と同じ方向に延在しているが、そのアンテナ１２の、ポッティング材１５から露出する部分は、その長手方向に交わる幅方向に延びた形状を有する。一方、ベース１１は長手方向に折り曲げられるため、アンテナ１２のポッティング材１５から露出した部分には応力集中は発生せず、アンテナ１２の断線が防止される。また、このＲＦＩＤタグ１０Ｅは、回路チップ１３の上部がポッティング材１５で覆われており、回路チップ１３は、そのポッティング材１５とベース１１の協同により封止されている。このため、回路チップ１３への応力集中も防止され、回路チップ１３の割れや剥れ等も防止される。さらに、この図６，図７に示す実施形態の場合、回路チップ１３の上に補強部材１６が配置されてポッティング材１５で固定されているため、回路チップ１３への応力集中は一層確実に防止されている。本実施形態では、このポッティング材として、ベース１１と協同して回路チップ１３を封止するとともに補強部材１６を固定する、例えば、熱硬化性の接着剤が用いられている。
【００３０】
尚、図６，図７に示す実施形態は、補強部材１６を備えた例であるが、アンテナ１２の、ポッティング材１５から露出している部分が幅方向に延びた形状を有すればよく、補強部材１６は備えられずに、ポッティング材１５のみの場合（図２参照）であってもよい。
【図面の簡単な説明】
【００３１】
【図１】ＲＦＩＤタグの一例を示す模式断面図である。
【図２】回路チップの剥れの防止が図られたＲＦＩＤタグの一例を示す図である。
【図３】回路チップの割れや剥れの防止が図られたＲＦＩＤタグの他の例を示す図である。
【図４】比較例としてのＲＦＩＤタグの一例を示す断面図である。
【図５】比較例としてのＲＦＩＤタグの一例を示す平面図である。
【図６】一実施形態としてのＲＦＩＤタグを示す断面図である。
【図７】一実施形態としてのＲＦＩＤタグを示す平面図である。
【符号の説明】
【００３２】
１０Ａ，１０Ｂ，１０Ｃ，１０Ｄ，１０Ｅ    ＲＦＩＤタグ
１１    ベース
１２    アンテナ
１３    回路チップ
１４    接着剤
１５，１７    ポッティング材
１６，１８    補強部材
【図１】
2008210032.tif 000003
【図２】
2008210032.tif 000004
【図３】
2008210032.tif 000005
【図４】
2008210032.tif 000006
【図５】
2008210032.tif 000007
【図６】
2008210032.tif 000008
【図７】
2008210032.tif 000009